(57)【特許請求の範囲】
【請求項１】
カラー動画像データを入力する画像入力手段と、
カラー動画像データの色差信号を所定の変換則に従い第１の値から第２の値に変換するための変換情報を記憶した第１の記憶手段と、
カラー静止画像データで使用される複数の表示色を所定の変換則に従い原色信号に変換するための変換情報を記憶した第２の記憶手段と、
前記画像入力手段により入力されたカラー動画像データの色差信号を、前記第１の記憶手段に記憶された変換情報をもとに第１の値から第２の値に変換する色差変換手段と、
カラー静止画像データの１フレームを構成する複数の画素のうち、表示対象となる第１の画素についてはその表示色を保存し、表示対象ではない第２の画素については動画像の挿入位置を表す情報を保存する保存手段と、
前記保存手段から読み出された画素の情報が表示色の場合に、この読み出された表示色を前記第２の記憶手段に記憶された変換情報をもとに原色信号に変換して出力する第１の表示変換手段と、
前記保存手段から読み出された画素の情報が動画像の挿入位置を表す情報の場合に、前記カラー動画像データを構成する複数の画素のうち前記読み出された画素に対応する画素の前記色差変換手段により変換された後の色差信号を原色信号に変換して出力する第２の表示変換手段と、
前記第１及び第２の変換手段から出力された原色信号をもとに、カラー静止画像とカラー動画像とが合成された画像を表示する表示手段とを具備したことを特徴とするカラー画像表示機能を備えた移動通信端末。
【請求項２】
入力されたカラー動画像データとカラー静止画像データとを合成して表示器に表示する表示制御モジュールにおいて、
カラー動画像データの色差信号を所定の変換則に従い第１の値から第２の値に変換するための変換情報を記憶した第１の記憶手段と、
カラー静止画像データで使用される複数の表示色を所定の変換則に従い原色信号に変換するための変換情報を記憶した第２の記憶手段と、
前記入力されたカラー動画像データの色差信号を、前記第１の記憶手段に記憶された変換情報をもとに第１の値から第２の値に変換する色差変換手段と、
表示しようとするカラー静止画像データの１フレームを構成する複数の画素のうち、表示対象となる第１の画素についてはその表示色を保存し、表示対象ではない第２の画素については動画像の挿入位置を表す情報を保存する保存手段と、
前記保存手段から読み出された画素の情報が表示色の場合に、この読み出された表示色を前記第２の記憶手段に記憶された変換情報をもとに原色信号に変換し、この変換された原色信号を前記表示器に供給してカラー静止画像を表示させる第１の表示変換手段と、
前記保存手段から読み出された画素の情報が動画像の挿入位置を表す情報の場合に、前記カラー動画像データを構成する複数の画素のうち前記読み出された画素に対応する画素の前記色差変換手段により変換された後の色差信号を原色信号に変換し、この変換された原色信号を前記表示器に供給してカラー動画像を表示させる第２の表示変換手段とを具備したことを特徴とする表示制御モジュール。
【発明の詳細な説明】
【０００１】
【発明の属する技術分野】
この発明は、例えば携帯電話機に代表される移動通信端末に係わり、特にカラー画像データの表示機能を備えた移動通信端末とその表示制御モジュールに関する。
【０００２】
【従来の技術】
近年、携帯電話機やＰＤＡ（Personal Digital Assistants）に代表される移動通信端末の中には、カラー液晶表示器を使用してカラー画像データを表示する機能を備えた端末が増えている。この種の機能を備えた端末を使用すると、例えばテレビジョン電話通信に際し通信相手端末から伝送されたカラー動画像データを表示したり、また自端末或いは通信相手端末において作成されたメール用の静止画像データを表示することが可能となり、大変便利である。
【０００３】
【発明が解決しようとする課題】
ところが、一般に移動通信端末に使用されるカメラや液晶表示器は、ディジタルカメラやパーソナル・コンピュータ等に使用されるものに比べて光学的性能の個体差が大きい。このため、受信したカラー画像データ又は作成したカラー画像データごとにその表示色が変化し、安定した色調を得ることができない。特に、カメラにより撮像されたカラー動画像データと、自端末においてアニメーション画像等を用いて作成したカラー静止画像データとでは、その色特性が著しく異なる。このため、これらの動画像データ及び静止画像データに対し同一の色処理を施して表示すると、例えば動画像は緑に偏った表示色となり、一方静止画像は青に偏った表示色になる等、表示色特性が不均一かつ不自然なものになりやすかった。
【０００４】
この発明は上記事情に着目してなされたもので、その目的とするところは、表示画像の表示色を必要に応じて可変できるようにし、これにより表示色の均一性が高く自然感のあるカラー画像表示を可能にする移動通信端末とその表示制御モジュールを提供することにある。
【００２０】
【課題を解決するための手段】
前記目的を達成するためにこの発明は、カラー動画像データとカラー静止画像データとを合成して表示するために、カラー動画像データの色差信号を所定の変換則に従い第１の値から第２の値に変換するための変換情報を記憶した第１の記憶手段と、動画像データの色差変換手段とを備え、この色差変換手段において、入力されたカラー動画像データの色差信号を上記第１の記憶手段に記憶された変換情報をもとに第１の値から第２の値に変換する。またそれと共に、カラー静止画像データで使用される複数の表示色を所定の変換則に従い原色信号に変換するための変換情報を記憶した第２の記憶手段と、カラー静止画像データの１フレームを構成する複数の画素のうち、表示対象となる第１の画素についてはその表示色を保存し、表示対象ではない第２の画素については動画像の挿入位置を表す情報を保存する保存手段と、第１の表示変換手段と、第２の表示変換手段とを備える。そして、上記保存手段から読み出された画素の情報が表示色の場合には、上記第１の表示変換手段により、上記読み出された表示色を上記第２の記憶手段に記憶された変換情報をもとに原色信号に変換して、この変換された原色信号を表示に供する。これに対し、上記保存手段から読み出された画素の情報が動画像の挿入位置を表す情報の場合には、上記第２の表示変換手段により、上記カラー動画像データを構成する複数の画素のうち上記読み出された画素に対応する画素の上記色差変換手段により変換された後の色差信号を原色信号に変換し、この変換された原色信号を表示に供するようにしたものである。
【００２１】
したがってこの発明によれば、例えばカメラや液晶表示器が持つ光学特性の影響により、カラー動画像データの表示色特性が偏った特性になる場合でも、上記色差信号の変換処理により適切な表示色特性に補正した上で表示することが可能となる。このため、カメラや液晶表示器が持つ光学特性の個体差の影響を排除して、常に適切な表示色特性により表示することができる。
しかも、カラー動画像データとカラー静止画像データとを合成して表示器に表示する場合に、カラー動画像データ及びカラー静止画像データに対し別々に表示色の補正処理を行うことができ、これにより動画像及び静止画像を相互間で影響を及ぼし合うことなくそれぞれ適切な表示色により表示することが可能となる。
【００２２】
【発明の実施の形態】
以下、図面を参照してこの発明の好ましい実施形態を説明する。
図１は、この発明に係わる移動通信端末の一実施形態である携帯電話端末の外観構成図である。
【００２３】
この携帯電話端末は、音声通信機能のほかに、テレビジョン電話通信等のマルチメディア通信機能、メール送受信機能、Ｗｅｂ閲覧機能、電話帳機能、電子手帳機能を有したもので、その筐体前面パネルには受話器としてのスピーカ３２、液晶表示器（ＬＣＤ）３４、キー入力部３５及び送話器としてのマイクロホン３１が配設されている。また筐体上部には、伸縮可能なアンテナ１１及びカメラ３３が取着されている。このカメラ３３は、ＣＭＯＳ又はＣＣＤ等の固体撮像素子を採用したもので、静止画像又は動画像を撮像可能である。さらに筐体背面部には、電源部用の装着部が設けられており、この装着部にはバッテリパックを構成する電源部が着脱自在に装着される。
【００２４】
上記キー入力部３５は、ダイヤルキー３５１と、機能キー群３５２とから構成される。このうち機能キー群３５２には、発着信用の機能キーやクリアキー等に加えて、マルチファンクションキーと呼ばれる多接点型キー３５３と、カメラ３３の撮影キー３５４等が含まれる。
【００２５】
一方、携帯電話端末の回路は次のように構成される。図２はその構成を示す回路ブロック図である。
この携帯電話端末は、無線部１と、ベースバンド部２と、入出力部３と、電源部４とから構成される。
【００２６】
同図において、図示しない基地局から無線チャネルを介して到来した無線周波信号は、アンテナ１１で受信されたのちアンテナ共用器（ＤＵＰ）１２を介して受信回路（ＲＸ）１３に入力される。受信回路１３は、高周波増幅器、周波数変換器及び復調器を備える。そして、上記無線信号を低雑音増幅器で低雑音増幅したのち、周波数変換器において周波数シンセサイザ（ＳＹＮ）１４から発生された受信局部発振信号とミキシングして受信中間周波信号又は受信ベースバンド信号に周波数変換し、その出力信号を復調器でディジタル復調する。復調方式としては、例えばＱＰＳＫ方式に対応した直交復調方式と、拡散符号を使用したスペクトラム逆拡散方式が用いられる。なお、上記周波数シンセサイザ１４から発生される受信局部発振信号周波数は、ベースバンド部２に設けられた主制御部２１から指示される。
【００２７】
上記復調器から出力された復調パケットはベースバンド部２に入力される。ベースバンド部２は、主制御部２１と、多重分離部２２と、音声符号復号部（以後音声信号処理モジュールと呼称する）２３と、マルチメディア処理部２４と、ＬＣＤ制御部２５と、メモリ部２６とを備えている。
【００２８】
上記復調パケットは、主制御部２１から多重分離部２２に供給される。多重分離部２２は、例えばITUT H.223により規定されるMUX-PDU と呼ばれるパケットの多重分離処理を行う。すなわち受信時には、復調パケットに含まれる音声データと画像データと制御データとを、ヘッダの内容に従い分離する。このうち音声データは音声信号処理モジュール２３に供給され、例えばAMR （Adaptive Multi Rate）方式等の音声符号復号方式により復号される。そして、この復号処理により伸張されたディジタル音声信号は、図示しないディジタル／アナログ変換器（以後Ｄ／Ａ変換器と称する）によりアナログ音声信号に変換されたのち、入出力部３のスピーカ３２から拡声出力される。
【００２９】
これに対し画像データは、マルチメディア処理部２４に供給されてここで画像復号処理される。画像符号化復号方式には例えばMPEG-4（Moving Picture Experts Group 4）が用いられる。そして、この復号処理により伸張された画像信号はＬＣＤ制御部２５に入力され、このＬＣＤ制御部２５において後述する表示色変換処理が施されたのち入出力部３のＬＣＤ３４に供給され表示される。
【００３０】
なお、ＬＣＤ制御部２５は、主制御部２１から出力される静止画像データ、電話帳データや送受信履歴データ、自端末の動作状態を表す種々情報等をＬＣＤ３４に表示するための機能も備えている。自端末の動作状態を表す情報には、例えば受信品質を表す情報やバッテリの残量を表す情報等が含まれる。
【００３１】
一方、入出力部３のマイクロホン３１から出力されたユーザの送話音声信号は、ベースバンド部２の音声信号処理モジュール２３に入力され、ここでAMR 方式により音声符号化されたのち多重分離部２２に入力される。またカメラ（ＣＡＭ）３３から出力された画像信号は、ベースバンド部２のマルチメディア処理部２４に入力され、ここでMPEG-4に従い画像符号化処理が施されて上記多重分離部２２に入力される。多重分離部２２は、上記符号化された音声データ及び画像データと、図示しないデータ通信部により生成された制御データとを、ITUT H.223に従い多重化して送信パケット（MUX-PDU ）を作成する。この多重分離部２２で作成された送信パケットは、主制御部２１から無線部１の送信回路（ＴＸ）１５に入力される。
【００３２】
送信回路１５は、変調器、周波数変換器及び送信電力増幅器を備える。上記送信データは、変調器でディジタル変調されたのち、周波数変換器により周波数シンセサイザ１４から発生された送信局部発振信号とミキシングされて無線周波信号に周波数変換される。変調方式としては、ＱＰＳＫ方式及び拡散符号使用するスペクトラム拡散方式が用いられる。そして、この生成された送信無線周波信号は、送信電力増幅器で所定の送信レベルに増幅されたのち、アンテナ共用器１２を介してアンテナ１１に供給され、このアンテナ１１から図示しない基地局に向け送信される。
【００３３】
なお、電源部４には、リチウムイオン電池等のバッテリ４１と、このバッテリ４１を商用電源出力（ＡＣ１００Ｖ）をもとに充電するための充電回路４２と、電圧生成回路（ＰＳ）４３とが設けられている。電圧生成回路４３は、例えばＤＣ／ＤＣコンバータからなり、バッテリ４１の出力電圧をもとに所定の電源電圧Ｖccを生成する。
【００３４】
また入出力部３には、操作時及び通信時にＬＣＤ３４及びキー入力部３５を照明するための照明器３６が設けられている。この照明器３６は、例えばバックライト又はイルミネーションと呼ばれる。
【００３５】
ところで、この実施形態に係わるＬＣＤ制御部２５は次のように構成される。図３は、その構成を示す回路ブロック図である。すなわちＬＣＤ制御部２５は、動画像表示系の回路と、静止画像表示系の回路と、出力制御回路とを備える。
【００３６】
動画像表示系の回路は、切替スイッチ５１と、色差変換部５２と、動画表示変換部５３とを有する。これに対し静止画像表示系の回路は、静止画像データを表示するためのフレームメモリ５５と、ルックアップテーブル部５６と、静止画表示変換部５７とを有する。出力制御回路は、出力切替スイッチ５４により構成される。
【００３７】
先ず動画像表示系の回路の色差変換部５２は、複数の色差変換テーブルを備えている。これらの色差変換テーブルには、入力が想定される複数の色差信号（ＹＣｂＣｒ）の各々に対応して表示色の補正又は可変成分を含む色差信号（Ｙ′Ｃｂ′Ｃｒ′）の値が記憶してあり、この色差信号（Ｙ′Ｃｂ′Ｃｒ′）の記憶値はテーブルごとに異なる変換則に従い設定されている。これらの色差変換テーブルは、後述する主制御部２１から与えられる選択制御信号ＴＳ１により一つが選択される。色差変換部５２は、上記マルチメディア処理部２４から出力された動画像データの色差信号（ＹＣｂＣｒ）を、上記複数の色差変換テーブルの中から選択された一つを参照して異なる色差信号（Ｙ′Ｃｂ′Ｃｒ′）に変換する。
【００３８】
動画表示変換部５３は、上記色差変換部５２により変換された色差信号（Ｙ′Ｃｂ′Ｃｒ′）を例えば演算により原色値（ＲＧＢ）に変換し、この変換されたＲＧＢ値をＬＣＤ３４へ出力する。
【００３９】
切替スイッチ５１は、色差信号の変換を行う必要がない場合に、マルチメディア処理部２４から出力された色差信号を、色差変換部５２を迂回させて動画表示変換部５３に供給するためのもので、主制御部２１から与えられる切替制御信号ＳＷ１により動作する。
【００４０】
一方、静止画像表示系の回路のフレームメモリ５５は、主制御部２１から出力された１フレーム分の静止画像データを保存する。このとき保存されるデータの内容は、各画素の表示色番号である。
【００４１】
ルックアップテーブル部５６は、複数のルックアップテーブルを備えている。これらのルックアップテーブルには、複数の表示色（例えば２５６色）の各々に対応して表示色の補正或いは可変成分を含む原色値（ＲＧＢ）が記憶してあり、このＲＧＢ値はテーブルごとに異なる変換則により設定されている。これらのルックアップテーブルは、後述する主制御部２１から与えられる選択制御信号ＴＳ２により一つが選択される。
【００４２】
静止画表示変換部５７は、フレームメモリ５５から一つの画素の表示色番号が読み出されるごとに、上記複数のルックアップテーブルの中から選択された一つのルックアップテーブルより、上記表示色番号に対応する補正又は可変されたＲＧＢ値を読み出す。そして、この読み出されたＲＧＢ値を出力切替スイッチ５４を介してＬＣＤ３４へ出力する。
【００４３】
出力切替スイッチ５４は、主制御部２１から与えられる切替制御信号ＳＷ２に従い、動画像表示期間には動画表示変換部５３に、一方静止画像表示期間には静止画表示変換部５７に切り替わる。
【００４４】
主制御部２１は、マイクロプロセッサ、ＲＯＭ及びＲＡＭ等からなる内部メモリを備えたもので、無線チャネルの接続制御や通信リンク確立後の通信制御等の通常の制御機能に加えて、この発明に係わる制御機能として、動画像表示色制御機能２１ａと、静止画像表示色制御機能２１ｂと、合成画像表示色制御機能２１ｃとを備えている。
【００４５】
動画像表示色制御機能２１ａは、動画像の表示開始前或いは表示期間中に、キー入力部３５における表示色調節操作を監視する。そして、表示色調節操作が行われると、その操作情報に応じてＬＣＤ制御部２５に対し選択制御信号ＴＳ１を出力し、これにより複数の色差変換テーブルの中の一つを選択指定する。
【００４６】
静止画像表示色制御機能２１ｂは、静止画像の表示開始前或いは表示期間中に、キー入力部３５における表示色調節操作を監視する。そして、表示色調節操作が行われると、その操作情報に応じてＬＣＤ制御部２５に対し選択制御信号ＴＳ２を出力し、これにより複数のルックアップテーブルの中の一つを選択指定する。
【００４７】
合成画像表示色制御機能２１ｃは、キー入力部３５における動画像表示色の調節操作と、静止画像表示色の調節操作とを各々監視する。そして、動画像表示色の調節操作が行われると、その操作情報に応じてＬＣＤ制御部２５に対し選択制御信号ＴＳ１を出力し、これにより複数の色差変換テーブルの中の一つを選択指定する。一方、静止画像表示色の調節操作が行われると、その操作情報に応じてＬＣＤ制御部２５に対し選択制御信号ＴＳ２を出力し、これにより複数のルックアップテーブルの中の一つを選択指定する。
【００４８】
次に、以上のように構成された携帯電話端末による画像データの表示動作を説明する。
【００４９】
（１）動画像データを表示する場合
ここでは、相手端末との間でテレビジョン電話通信を行う場合を例にとって説明する。
【００５０】
通信に先立ち主制御部２１は、ＬＣＤ制御部２５に対し動画像表示系の回路を選択するための切替制御信号ＳＷ２を出力する。このため、ＬＣＤ制御部２５の出力切替スイッチ５４は動画表示変換部５３側に設定される。またそれと共に主制御部２１は、ＬＣＤ制御部２５に対し表示色の補正を行わない初期表示状態を設定するための切替制御信号ＳＷ１を出力する。このため、切替スイッチ５１は色差変換部５２を迂回する側に設定される。
【００５１】
この状態で、相手端末のカメラで撮像された動画像データが受信され、この動画像データがマルチメディア処理部２４からＬＣＤ制御部２５に入力されると、この動画像データは色差変換部５２を迂回して動画表示変換部５３に入力される。そして、この動画表示変換部５３で演算によりＲＧＢ値に変換されたのち、出力切替スイッチ５４を介してＬＣＤ３４に供給されて表示される。すなわち、通信開始当初において受信動画像データは、色差変換が施されずにそのままの表示色でＬＣＤ３４に表示される。
【００５２】
さて、この状態でユーザが、キー入力部３５において表示色の調節操作を行ったとする。そうすると主制御部２１からＬＣＤ制御部２５に対し、切替制御信号ＳＷ１が出力され、これにより切替スイッチ５１が色差変換部５２に切り替わる。また主制御部２１からＬＣＤ制御部２５に対し、上記調節操作に応じて表示色を変化させるための選択制御信号ＴＳ１が与えられる。このためＬＣＤ制御部２５では、上記選択制御信号ＴＳ１に応じて、色差変換部５２内の複数の色差変換テーブル中から指定された一つが選択される。したがって、マルチメディア処理部２４から出力された動画像データの色差信号（ＹＣｂＣｒ）は、色差変換部５２内において上記選択された色差変換テーブルに従い色差信号（Ｙ′Ｃｂ′Ｃｒ′）に変換される。
【００５３】
例えば、いま選択された色差変換テーブルの変換情報が図４に示す内容となっており、この状態で色差信号ＹＣｂＣｒ＝（３，２５３，２）が入力されたとする。そうすると、この入力されたＹＣｂＣｒ＝（３，２５３，２）の値が各々Ｙ′Ｃｂ′Ｃｒ′＝（２，２５１，１）に変換される。なお、図４はＣｂを変換するときの状態を示している。
【００５４】
そうして変換された色差信号Ｙ′Ｃｂ′Ｃｒ′＝（２，２５１，１）は、続いて動画表示変換部５３において演算によりＲＧＢ値に変換される。このときの変換式の一例を示す。
Ｒ＝1.164384(Ｙ′−16)＋1.596074(Ｃｒ′−128)
Ｇ＝1.164383(Ｙ′−16)−0.391764(Ｃｂ′−128)−0.812967(Ｃｒ′−128)
Ｂ＝1.164383(Ｙ′−16)＋2.017232(Ｃｂ′−128)
実際には、上記変換演算はＬＣＤ制御部２５においてディジタル演算により行われるため、次のような変換式が使用される。
Ｒ＝{(128+16+4+1)Ｙ′                ＋(128+16+4)Ｃｒ′−28496}/128
Ｇ＝{(128+16+4+1)Ｙ′−(32+16+2)Ｃｂ′−(64+32+8)Ｃｒ′＋17328}/128
Ｂ＝{(128+16+4+1)Ｙ′＋  (256+2)Ｃｂ′                  −35408}/128
なお、上記例ではＹ，Ｃｂ，Ｃｒがそれぞれ８ビットデータの場合を示した。しかし、ＬＣＤ３４がそれぞれ６ビットからなるＲＧＢ値を表示する場合には、上記演算式により算出された８ビットのＲＧＢ値を６ビットに変換するために、この８ビットのＲＧＢ値を２ビットシフト（４で割る）し、その結果を四捨五入して０〜６３にクリップする。
【００５５】
そうして動画表示変換部５３により得られたＲＧＢ値は、出力切替スイッチ５４を介してＬＣＤ３４に供給され表示される。
したがって、以後ＬＣＤ３４には、ユーザの表示色調節操作に応じて表示色が補正されたカラー動画像が表示されることになる。
【００５６】
なお、以上のように表示色の調節を行ったのちに、再び表示色を補正しない初期状態に戻す場合には、ユーザはキー入力部３５において表示色補正のキャンセル操作を行う。そうすると、主制御部２１からＬＣＤ制御部２５に対し切替制御信号ＳＷ１が出力され、これにより切替スイッチ５１が色差変換部５２から動画表示変換部５３に切り替わる。このため、以後入力される動画像データは色差変換部５２を迂回して動画表示変換部５３に入力され、この結果ＬＣＤ３４には色補正が行われない受信したままの動画像が表示される。
【００５７】
なお、表示色の補正がなされていない動画像を表示させるためのその他の構成としては、例えば図５に示すように入力データと出力データとの間の変化がない変換情報が記憶された無変換用の色差変換テーブルを用意しておく。そして、ユーザによる表示色補正のキャンセル操作に応じて、この無変換用の色差変換テーブルを選択するようにしてもよい。
【００５８】
このように表示色の補正がなされない動画像を表示させるための各構成は、受信動画像データの表示色を補正する必要がない場合に使用される。
【００５９】
（２）静止画像データを表示する場合
ユーザが静止画像表示モードを指定すると、主制御部２１はＬＣＤ制御部２５に対し、静止画表示系の回路を選択するための切替制御信号ＳＷ２を出力する。このため、出力切替スイッチ５４は静止画表示変換部５７側に設定される。また主制御部２１はＬＣＤ制御部２５に対し、初期状態用のテーブルとして予め定められたルックアップテーブルを選択するための選択制御信号ＴＳ２を与える。このため、ルックアップテーブル部５６では、例えば補正成分を含まない標準的な表示色のＲＧＢ値が記憶されたルックアップテーブルが選択される。
【００６０】
静止画像データは例えばメモリ部２６に記憶されており、ユーザが表示しようとする静止画像データを選択すると、この静止画像データはメモリ部２６から読み出されてＬＣＤ制御部２５のフレームメモリ５５に書き込まれる。なお、このときフレームメモリ５５に書き込まれるデータは画素ごとの表示色番号を表すデータである。
【００６１】
フレームメモリ５５に１フレーム分の静止画像データが保存されると、静止画表示変換部５７は上記フレームメモリ５５から画素ごとにその表示色番号を読み出し、この読み出した表示色番号に対応するＲＧＢ値をルックアップテーブル部５６内の上記選択されたルックアップテーブルから読み出す。そして、この読み出されたＲＧＢ値を出力切替スイッチ５４を介してＬＣＤ３４に供給する。したがってＬＣＤ３４には、画素ごとに上記ＲＧＢ値により指定される色の画像が表示される。
【００６２】
さてこの状態で、ユーザが、キー入力部３５において表示色の調節操作を行ったとする。そうすると主制御部２１からＬＣＤ制御部２５に対し、上記調節操作に応じて表示色を変化させるための選択制御信号ＴＳ２が与えられる。このためＬＣＤ制御部２５では、上記選択制御信号ＴＳ２に応じて、ルックアップテーブル部５６内の複数のルックアップテーブル中から指定された一つが選択される。したがって、以後上記新たに選択されたルックアップテーブルから、補正されたＲＧＢ値が読み出され、このＲＧＢ値がＬＣＤ３４に供給されて表示される。このため、ＬＣＤ３４には表示色の補正された静止画像が表示される。
【００６３】
例えば、いま静止画像データを２５５色で表現するものとする。この場合、２５５色に１〜２５５までの番号が付与され、これらの色番号に対応付けてそれぞれのＲＧＢ値が決定される。このＲＧＢ値には表示色の補正成分又は可変成分が含められる。そして、この色番号１〜２５５とＲＧＢ値との対応関係を表す情報がルックアップテーブルに記憶される。一方フレームメモリ５５には、表示しようとする静止画像データの画素ごとに、上記２５５色に付与された色番号が格納される。
【００６４】
したがって、例えば図６に示すような変換情報が格納されたルックアップテーブルが選択され、かつフレームメモリ５５に図６に示すような静止画像データの色番号が格納された状態で、フレームメモリ５５中の第１画素（最上左に位置する画素）が読み出されたとする。
【００６５】
そうすると、この画素の色番号は「００５」であるため、ルックアップテーブルからはこの色番号「００５」に対応するＲＧＢ値（００，００，６３）が読み出される。このＲＧＢ値（００，００，６３）は「青」を表すものであるため、ＬＣＤ３４に表示される静止画像の最上左の画素の色は青となる。その他の画素についても同様である。
【００６６】
この表示色は、同じ色番号「００５」の画素であっても、他のルックアップテーブルが選択されているときには、このテーブルに記憶されたＲＧＢ値により表現される別の色となる。すなわち、ルックアップテーブルを任意に選択することで、静止画像の表示色を所望の色に補正又は可変することができる。
【００６７】
なお、表示しようとする静止画像データには上記２５５色以外の色データが含まれていることも予想される。この場合には、例えば主制御部２１において、上記２５５色以外の色データを、予め用意しておいた対応テーブルをもとに上記２５５色中の最も類似する色に近似し、その番号をフレームメモリ５５に書き込むようにすればよい。
【００６８】
（３）静止画像データと動画像データとの合成画像データを表示する場合
ここでは、静止画像の特定の部位に動画像をはめ込む場合を例にとって説明する。
主制御部２１は、このような合成画像を表示する際に、ユーザが指定した静止画像データをメモリ部２６から読み出し、この読み出した静止画像データの表示対象部位の各画素については表示色番号をそのまま割り当て、一方動画像をはめ込む部位については表示色番号として使用されていない特定の番号を割り当てる。そして、このようにして作成した合成用の静止画像データをＬＣＤ制御部２５内のフレームメモリ５５に書き込む。図７はその一例を示すもので、図中の斜線を付した部位が動画像をはめ込む部位であり、この部位には特定番号「０００」を割り当てている。
【００６９】
そうしてフレームメモリ５５に１フレーム分の静止画像データが書き込まれると、静止画表示変換部５７はフレームメモリ５５から静止画像データの画素データ、つまり表示色番号又は特定番号を順次読み出す。そして、選択中のルックアップテーブル５６を参照して、上記表示色番号又は特定番号に対応するＲＧＢ値を読み出す。このとき、ルックアップテーブル５６には、図７に示すように表示色番号「００１」〜「２５５」にはＲＧＢ値が記憶されているが、特定番号「０００」にはＲＧＢ値が記憶されていない。このため、表示色番号が読み出された画素についてはＲＧＢ値が読み出されるが、特定番号「０００」が読み出された画素については無色に相当する値が読み出される。
【００７０】
また、上記静止画像データの読み出し動作に同期して、出力切替スイッチ５４は主制御部２１の切替制御に従い、静止画像データの表示対象部位の読み出し期間には静止画表示変換部５７に接続され、一方静止画像データの動画像はめ込み部位の読み出し期間には動画表示変換部５３に接続される。このため、上記静止画像データの表示対象部位の読み出し期間には、静止画表示変換部５７から読み出されたＲＧＢ値がそのままＬＣＤ３４に供給されて表示され、一方静止画像データの動画像はめ込み部位の読み出し期間には、上記動画表示変換部５３から読み出された動画像データのＲＧＢ値が選択されてＬＣＤ３４に供給されて表示される。
【００７１】
なお、動画像データについては、先に「（１）動画像データを表示する場合」で説明した場合と同様に、色差変換部５２及び動画表示変換部５３により変換されたＲＧＢ値が出力される。
【００７２】
かくして、ＬＣＤ３４には静止画像の特定部位に動画像をはめ込んだ合成画像が表示される。
図７では、静止画像中の「空」に相当する特定部位に、斜線格子で表される動画像をはめ込んだ場合を例示している。なお、同図では図示の便宜上動画像を斜線格子で示したが、実際にはカメラ３３により撮像したユーザの顔画像や景色の画像がはめ込まれる。
【００７３】
また、上記合成画像の表示色を調節する場合、ユーザはキー入力部３５において、静止画像部位に対する表示色調節操作と、動画像部位に対する表示色調節操作とを独立して行う。そうすると、静止画像部位に対する表示色調節操作に応じて、主制御部２１の選択制御によりルックアップテーブル部５６から対応するルックアップテーブルが選択され、この選択されたルックアップテーブルに記憶されたＲＧＢ値により静止画像部位の表示色が変化する。なお、いずれのルックアップテーブルも、特定番号「０００」に対応する領域にはＲＧＢ値が記憶されていない。
【００７４】
一方、動画像部位に対する表示色調節操作に応じて、主制御部２１の選択制御により色差変換部５２から対応する色差変換テーブルが選択され、この選択された色差変換テーブルから異なる色差信号が出力される。この出力された色差信号は動画表示変換部５３によりＲＧＢ値に変換された後、ＬＣＤ３４に供給されて表示される。このため、動画像の表示色もユーザの操作に応じて変化する。
【００７５】
なお、静止画像部位に対する表示色調節と、動画像部位に対する表示色調節とを、共通の操作で行うことも可能である。これは、表示色の同時調整モードを設けることで実現できる。例えば、ユーザがこの同時調節モードを指定した状態で表示色の調節操作を行うと、この調節操作に応じて主制御部２１によりルックアップテーブルの選択と色差変換テーブルの選択がそれぞれ行われる。これにより静止画像部位に対する表示色調節と動画像部位に対する表示色調節とが同時に可能となる。
【００７６】
以上のようにこの実施形態では、異なる変換情報が記憶された複数の色差変換テーブルを設け、ユーザの表示色調節操作に応じてこれらの色差変換テーブルの中から一つを選択して動画像データの色差信号を変換し、この変換された色差信号をＲＧＢ値に変換してＬＣＤ３４に表示するようにしている。また静止画像データについては、異なる変換情報が記憶された複数のルックアップテーブルを設け、ユーザの表示色調節操作に応じてこれらのルックアップテーブルの中から一つを選択して静止画像データの表示色番号に対応するＲＧＢ値を読み出し、このＲＧＢ値をＬＣＤ３４に表示するようにしている。さらに静止画像と動画像とを合成した画像を表示する場合には、ユーザの別々の操作に応じて色差変換テーブルの一つおよびルックアップテーブルの一つを選択し、この選択された各テーブルによりそれぞれ動画像データの色差信号の変換及び表示色番号からＲＧＢ値への変換処理を行って表示を行うようにしている。
【００７７】
したがってこの実施形態によれば、自端末や通信相手端末のカメラ３３或いはＬＣＤ３４の光学特性の個体差による表示色の偏りがあっても、ユーザの調節操作に応じて表示色を所望の色に補正又は可変することができる。
【００７８】
なお、この発明は上記実施形態に限定されるものではない。例えば、前記実施形態では、複数の色差変換テーブル及び複数のルックアップテーブルを用意し、ユーザの表示色調節操作に応じてこれらのテーブルの中から対応するテーブルを選択することで表示色を補正又は可変するようにした。しかし、これに限るものではなく、例えば色差変換テーブル及びルックアップテーブルを１個ずつ用意し、ユーザの表示色調節操作に応じてこれらのテーブルに記憶されている変換情報を書き換えるように構成してもよい。
【００７９】
図８は、これを実現するための動作例を示すもので、ルックアップテーブルの変換情報を変更する場合を示している。すなわち、先ずルックアップテーブルのＲＧＢ値を図中ステップ８ａに示すように色差信号ＹＣｂＣｒに変換する。次に、この色差信号ＹＣｂＣｒを、色差変換部５２の色差変換テーブルを参照してステップ８ｂに示すように色差信号Ｙ′Ｃｂ′Ｃｒ′に変換する。そして、この変換された色差信号Ｙ′Ｃｂ′Ｃｒ′を、動画表示変換部５３においてステップ８ｃに示すようにＲ′Ｇ′Ｂ′値に逆変換し、上記ルックアップテーブルの変換情報をこの変換されたＲ′Ｇ′Ｂ′値に書き換える。
【００８０】
なお、上記Ｒ′Ｇ′Ｂ′値への逆変換は以下の数式により実現できる。
Ｒ′＝{1.16438(Ｙ−16)＋1.59603(Ｃｒ−128)}＋0.5
Ｇ′＝{1.16438(Ｙ−16)−0.39176(Ｃｂ−128)−0.81297(Ｃｒ−128)}＋0.5
Ｂ′＝{1.16438(Ｙ−16)＋2.01723(Ｃｂ−128)}
このようにすると、ルックアップテーブルが１個しかなくても、その変換情報を書き換えることで所望の表示色に補正又は可変することが可能となる。この構成の利点は、ルックアップテーブルが１個で済むためメモリの容量を大幅に低減できることと、変換処理を色差信号上で行うことで直接ＲＧＢ値を変換する場合に比べ比較的簡単な処理で変換を行える点である。この構成は、ルックアップテーブル限らず、色差変換テーブルについても同様に適用可能である。
【００８１】
また、前記実施形態では、色差変換テーブル及びルックアップテーブルを用いて表示色を補正又は可変するようにしたが、変換特性を表す数式を記憶しておき、この数式に従い重み付け係数を乗算する演算を行うことにより表示色を補正又は可変するようにしてもよい。このようにすると、テーブルを使用する場合に比べ表示色の変換処理に時間がかかるが、テーブルをなくすことでメモリの記憶容量を大幅に削減することができる。
【００８２】
さらに前記実施形態では、画像表示開始時において、動画像データについては表示色の補正なしをデフォルトとし、また静止画像データについては色番号とＲＧＢ値との標準的な変換情報が記憶されたルックアップテーブルをデフォルトとして設定するようにした。しかし、画像表示終了時点で選択されていた色差変換テーブル及びルックアップテーブルを記憶しておき、次の画像データ表示時にこの記憶しておいたテーブルを初期状態として選択して画像データの表示を開始するようにしてもよい。このようにすると、同一の通信相手からの受信画像を続けて表示する場合に、ユーザはその都度表示色を調節する必要がなくなる。
【００８３】
さらに前記実施形態では、動画像データ、静止画像データ及びその合成画像データのそれぞれについて表示色を補正又は可変する処理を行う場合について説明したが、動画像データ、静止画像データ及びその合成画像データのうちのいずれか一つ又は二つについて表示色を補正又は可変する処理を行うようにしてもよい。
【００８４】
さらに前記実施形態では、受信した動画像データを表示する場合を例にとって説明したが、自端末のカメラ３３により撮像した動画像データを表示する場合にも、また外部のディジタルカメラにより撮像された動画像データや、パーソナル・コンピュータ又はメモリカード等の外部ソースから取り込んだ動画像データに対しても同様に適用可能である。
【００８５】
また静止画像データについても、メモリ部２６に予め記憶しておいた静止画像データに限らず、自端末のカメラ３３により撮像した静止画像データや、外部のディジタルカメラ、パーソナル・コンピュータ又はメモリカード等の外部ソースから取り込んだ静止画像データに対しても同様に適用可能である。
【００８６】
さらに前記実施形態では携帯電話端末を例にとって説明したが、それに限らずカラー画像表示機能を有するＰＤＡ（Personal Digital Assistants）等の他の移動通信端末にもこの発明は適用可能である。その他、移動通信端末の構成や通信方式、画像の符号化方式、画像データの表示色制御手順とその内容、表示器の種類やそのサイズ等についても、この発明の要旨を逸脱しない範囲で種々変形して実施できる。
【００８７】
【発明の効果】
以上詳述したようにこの発明では、カラー動画像データとカラー静止画像データとを合成して表示するために、カラー動画像データの色差信号を所定の変換則に従い第１の値から第２の値に変換するための変換情報を記憶した第１の記憶手段と、動画像データの色差変換手段とを新たに設け、画像入力手段により入力されたカラー動画像データの色差信号を、上記第１の記憶手段に記憶された変換情報をもとに第１の値から第２の値に変換する。またそれと共に、カラー静止画像データで使用される複数の表示色を所定の変換則に従い原色信号に変換するための変換情報を記憶した第２の記憶手段と、カラー静止画像データの１フレームを構成する複数の画素のうち、表示対象となる第１の画素についてはその表示色を保存し、表示対象ではない第２の画素については動画像の挿入位置を表す情報を保存する保存手段と、第１の表示変換手段と、第２の表示変換手段とを備える。そして、上記保存手段から読み出された画素の情報が表示色の場合には、上記第１の表示変換手段により、上記読み出された表示色を上記第２の記憶手段に記憶された変換情報をもとに原色信号に変換して、この変換された原色信号を表示に供する。これに対し、上記保存手段から読み出された画素の情報が動画像の挿入位置を表す情報の場合には、上記第２の表示変換手段により、上記カラー動画像データを構成する複数の画素のうち上記読み出された画素に対応する画素の上記色差変換手段により変換された後の色差信号を原色信号に変換し、この変換された原色信号を表示に供するようにしている。
【００８９】
したがってこの発明によれば、例えばカメラや液晶表示器が持つ光学特性の影響により、カラー動画像データの表示色特性が偏った特性になる場合でも、上記色差信号の変換処理により適切な表示色特性に補正した上で表示することが可能となる。このため、カメラや液晶表示器が持つ光学特性の個体差の影響を排除して、常に適切な表示色特性により表示することができる。
しかも、カラー動画像データとカラー静止画像データとを合成して表示器に表示する場合に、カラー動画像データ及びカラー静止画像データに対し別々に表示色の補正処理を行うことができ、これにより動画像及び静止画像を相互間で影響を及ぼし合うことなくそれぞれ適切な表示色により表示することが可能となる。
【図面の簡単な説明】
【図１】  この発明に係わる移動通信端末の一実施形態である携帯電話端末の外観構成図。
【図２】  この発明に係わる移動通信端末の一実施形態である携帯電話端末の回路構成を示すブロック図。
【図３】  図２に示した携帯電話端末のＬＣＤ制御部の回路構成を示すブロック図。
【図４】  図３に示した色差変換部における色差変換動作の一例を説明するための図。
【図５】  図３に示した色差変換部における色差変換動作の他の例を説明するための図。
【図６】  図３に示した静止画表示系の回路による表示色変換動作の一例を説明するための図。
【図７】  図３に示した動画表示系及び静止画表示系の回路による合成画像の表示色変換動作の一例を説明するための図。
【図８】  図３に示したルックアップテーブルの記憶内容を変更する場合の動作例を説明するための図。
【符号の説明】
１…無線部
２…ベースバンド部
３…入出力部
４…電源部
１１…アンテナ
１２…アンテナ共用器（ＤＰＸ）
１３…受信回路（ＲＸ）
１４…周波数シンセサイザ（ＳＹＮ）
１５…送信回路（ＴＸ）
２１…主制御部
２１ａ…動画像表示色制御機能
２１ｂ…静止画像表示色制御機能
２１ｃ…合成画像表示色制御機能
２２…多重分離部
２３…音声信号処理モジュール
２４…マルチメディア処理部
２５…ＬＣＤ制御部
２６…メモリ部
３１…マイクロホン
３２…スピーカ
３３…カメラ
３４…液晶表示器（ＬＣＤ）
３５…キー入力部
３６…照明器
４１…バッテリ
４２…充電回路（ＣＨＧ）
４３…電圧生成回路（ＰＳ）
５１…切替スイッチ
５２…色差変換部
５３…動画表示変換部
５４…出力切替スイッチ
５５…フレームメモリ
５６…ルックアップテーブル部
５７…静止画表示色変換部
【図１】
0004131911.tif 000002
【図２】
0004131911.tif 000003
【図３】
0004131911.tif 000004
【図４】
0004131911.tif 000005
【図５】
0004131911.tif 000006
【図６】
0004131911.tif 000007
【図７】
0004131911.tif 000008
【図８】
0004131911.tif 000009